(57)【要約】【課題】第１に、処理設備，能力，コスト面等に優れると共に、第２に、処理が迅速かつ確実に実施される、水浄化処理装置を提案する。【解決手段】この水浄化処理装置１は、直流電気分解に基づき生成されたＯＨラジカルにより、水に含有された有機化合物２を酸化，分解する。負極４では、供給電子にて水と溶存酸素が還元されて、水酸化イオンが生成され、正極５では、正孔にて該水酸化イオンが酸化されて、ＯＨラジカルが生成される。そしてＯＨラジカルは、例えば、有機構造の二重結合や水素原子を対象とし、これをＯＨ基で付加又は置換することに基づき、炭素連鎖，有機結合，分子結合を切断，分解，分断し、最終的には、水素，二酸化炭素，水，その他の低分子化合物に、酸化，分解する。又、正極５や負極４で生成された酸素や水素の気泡６にて、酸化，分解過程の中間生成物が、付着，上昇，分離，除去される。【選択図】図１
2008173523.tif 000002
【特許請求の範囲】
【請求項１】
直流電気分解に基づき生成されたＯＨラジカルにより、水に含有された有機化合物を酸化，分解すること、を特徴とする水浄化処理装置。
【請求項２】
請求項１に記載した水浄化処理装置において、負極では、電子にて水と溶存酸素が還元されて、水酸化イオンが生成され、正極では、正孔にて該水酸化イオンが酸化されて、該ＯＨラジカルが生成されること、を特徴とする水浄化処理装置。
【請求項３】
請求項２に記載した水浄化処理装置において、該ＯＨラジカルは、該有機化合物の有機構造について、その二重結合や水素原子を対象とし、これをＯＨ基で付加又は置換することに基づき、該有機化合物の炭素連鎖，有機結合，分子結合を切断，分解，分断し、もって該有機化合物を酸化，分解すること、を特徴とする水浄化処理装置。
【請求項４】
請求項３に記載した水浄化処理装置において、該有機化合物は、最終的に水素，二酸化炭素，水，その他の低分子化合物に、酸化，分解されること、を特徴とする水浄化処理装置。
【請求項５】
請求項３に記載した水浄化処理装置において、該正極では更に、該正孔により水が酸化されて、酸素が生成され、該負極では更に、該正極で生成された水素イオンが電子と反応して、水素が生成され、
このように生成された該酸素および該水素の気泡にて、該有機化合物の酸化，分解過程の中間生成物が、付着，上昇，分離，除去されること、を特徴とする水浄化処理装置。
【請求項６】
請求項３に記載した水浄化処理装置において、該ＯＨラジカルは、該有機化合物が酸化，分解されてしまった場合や該有機化合物が存在しなかった場合、水と溶存酸素とを蘇生，再生しつつ、失活すること、を特徴とする水浄化処理装置。
【請求項７】
請求項３に記載した水浄化処理装置において、該有機化合物は、該ＯＨラジカルや該正孔にて、順次、アルコール類化，アルデヒド類化又はケトン類化，カルボン酸化，これらの次元低下，蟻酸化等のステップを辿って、酸化，分解されること、を特徴とする水浄化処理装置。
【発明の詳細な説明】
【技術分野】
【０００１】
本発明は、水浄化処理装置に関する。すなわち、廃水等に含有された有機化合物を酸化，分解する、水浄化処理装置に関するものである。
【背景技術】
【０００２】
《技術的背景》
化学処理設備等の工業廃水、その他の産業廃水中には、各種の有機化合物が含有されている。
すなわち、洗浄用，溶剤用，その他の各種用途に使用された有機化合物、例えば、ノルマルヘキサン抽出物質や、モノクロロベンゼン，メチルイソブチルケトン，ベンジルアルコール，イソプロピルアルコール，ジメチルホルムアミド，等々が含有されている。又、このような下水廃水のみならず、上水道水，その他の飲料水中にも、例えば、トリハロメタンが含有されていることがある。
そして、これらの有機化合物を含有した廃水等は、そのままでは人体や環境に有害であり、公害汚染物質として浄化処理されている。
【０００３】
《従来技術》
そして、このような浄化処理としては、まず、活性汚泥処理が代表的であった。すなわち、この種の廃水は多くの場合、遠隔地の貯蔵所への運搬されて微生物処理されていた。
又、廃水現場でオゾンや薬品を用いて、含有された有機化合物を酸化，分解，浄化処理して、一般排水することも行なわれていた。
【発明の開示】
【発明が解決しようとする課題】
【０００４】
ところで、このような水浄化処理の従来例については、次の問題が指摘されていた。
《第１の問題点》
第１に、活性汚泥処理については、貯留用の大型タンク，運搬車輌，その他の大型処理設備を要すると共に、その処理能力（貯留能力，運搬能力，生物処理能力）に限界が存し、長期の処理日数を要し処理コストも嵩む、等々の問題が指摘されていた。
【０００５】
《第２の問題点》
第２に、廃水現場でのオゾンや薬品を用いた浄化処理については、コスト負担が大であると共に、酸化，分解の進行が遅く極めて長時間を要し、不完全，不確実なまま、途中の分解中間物の段階で止まることも多い、という問題が指摘されていた。
例えば、オレフィン系化合物やパラフィン系化合物等の鎖状炭化水素の分解は、オゾニドＯＺＯＮＩＤＥ段階まで、芳香環を持った環状炭化水素の分解は、グリオキサールＧＬＹＯＸＡＬ段階までは進むが、更にその先への分解反応は、極めて時間を要し進みにくかった。
【０００６】
《本発明について》
本発明の水浄化処理装置は、このような実情に鑑み、上記従来例の課題を解決すべくなされたものであり、直流電気分解に基づき生成されるＯＨラジカルにより、有機化合物を酸化，分解することを、特徴とする。
もって本発明は、第１に、処理設備，能力，コスト面等に優れると共に、第２に、処理が迅速かつ確実に実施される、水浄化処理装置を提案することを目的とする。
【課題を解決するための手段】
【０００７】
《請求項について》
このような課題を解決する本発明の技術的手段は、次のとおりである。まず、請求項１については次のとおり。請求項１の水浄化処理装置は、直流電気分解に基づき生成されたＯＨラジカルにより、水に含有された有機化合物を酸化，分解すること、を特徴とする。
請求項２については次のとおり。請求項２の水浄化処理装置は、請求項１において、負極では、電子にて水と溶存酸素が還元されて、水酸化イオンが生成され、正極では、正孔にて該水酸化イオンが酸化されて、該ＯＨラジカルが生成されること、を特徴とする。
請求項３については次のとおり。請求項３の水浄化処理装置では、請求項２において、該ＯＨラジカルは、該有機化合物の有機構造について、その二重結合や水素原子を対象とし、これをＯＨ基で付加又は置換することに基づき、該有機化合物の炭素連鎖，有機結合，分子結合を切断，分解，分断し、もって該有機化合物を酸化，分解すること、を特徴とする。
【０００８】
請求項４については次のとおり。請求項４の水浄化処理装置では、請求項３において、該有機化合物は、最終的に水素，二酸化炭素，水，その他の低分子化合物に、酸化，分解されること、を特徴とする。
請求項５については次のとおり。請求項５の水浄化処理装置では、請求項３において、該正極では更に、該正孔により水が酸化されて、酸素が生成され、該負極では更に、該正極で生成された水素イオンが電子と反応して、水素が生成される。そして、このように生成された該酸素および該水素の気泡にて、該有機化合物の酸化，分解過程の中間生成物が、付着，上昇，分離，除去されること、を特徴とする。
請求項６については次のとおり。請求項６の水浄化処理装置では、請求項３において、該ＯＨラジカルは、該有機化合物が酸化，分解されてしまった場合や該有機化合物が存在しなかった場合、水と溶存酸素とを蘇生，再生しつつ、失活すること、を特徴とする。
請求項７については次のとおり。請求項７の水浄化処理装置では、請求項３において、該有機化合物は、該ＯＨラジカルや該正孔にて、順次、アルコール類化，アルデヒド類化又はケトン類化，カルボン酸化，これらの次元低下，蟻酸化等のステップを辿って、酸化，分解されること、を特徴とする。
【０００９】
《作用等について》
本発明は、このような手段よりなるので、次のようになる。
（１）工業廃水等には、各種の有機化合物が含有されている。
（２）この種の有機化合物としては、例えば、鉱物油，動植物油等のノルマルヘキサン抽出物質、その他各種の難分解性物質が代表的である。すなわち、パラフィン系化合物，オレフィン系化合物等の鎖状炭化水素や、芳香環を持った環状炭化水素等が、代表的である。
（３）そして、有機化合物を含有した廃水等は、水浄化処理装置に供給される。
（４）水浄化処理装置では、直流電気分解に基づきＯＨラジカルが生成されている。すなわち、その負極で生成された水酸化イオンが、正極の正孔にて酸化されて、ＯＨラジカルが生成されている。
（５）ＯＨラジカルは、極めて強力な酸化力を備えており、廃水等に含有された有機化合物の炭素連鎖，有機結合，分子結合を、切断，分解，分断して、水素，二酸化炭素，水，その他の低分子化合物に、分解，浄化してしまう。
（６）なおその際、中間生成物はかなりの部分が、正極や負極で生成される酸素や水素の気泡に付着して、上昇，分離，除去されてしまう。
（７）又、ＯＨラジカルは、有機化合物が酸化，分解され尽くす等、存在しなくなった場合、水と溶存酸素を再生，蘇生，浄化する。
（８）さてそこで、本発明の水浄化処理装置は、次の効果を発揮する。
【発明の効果】
【００１０】
《第１の効果》
第１に、処理設備，処理能力，処理コスト等に優れつつ、浄化処理が実現される。すなわち、本発明の水浄化処理装置は、直流電気分解に基づき生成されたＯＨラジカルの作用により、水に含有された有機化合物を酸化，分解，浄化するので、工業廃水，その他の産業廃水の排出現場において、浄化処理そして一般排水が可能となる。
従って、前述したこの種従来例の活性汚泥処理のように、貯留用の大型タンク，運搬車輌，その他の大型処理設備を要しないと共に、処理能力に限界が存することもなく、順次浄化処理が可能であり、全体の処理日数も大幅に短縮される。もって、設備コストや処理コスト等のコスト面にも優れている。
【００１１】
《第２の効果》
第２に、浄化処理が迅速かつ確実に実施される。すなわち、本発明の水浄化処理装置は、直流電気分解に基づき生成されたＯＨラジカルの作用により、水に含有された有機化合物を、迅速かつ確実に酸化，分解，浄化してしまう。
そこで、前述したオゾンや薬品を用いたこの種従来例に比し、コスト負担が軽減されると共に、酸化，分解時間が大きく短縮され、極めて短時間化される。そして、酸化，分解が不完全，不確実なまま、途中で中断されて止まるようなこともなく、水素，二酸化炭素，水，その他の低分子化合物へと、確実に分解，浄化される。
このように、この種従来例に存した課題がすべて解決される等、本発明の発揮する効果は、顕著にして大なるものがある。
【発明を実施するための最良の形態】
【００１２】
《図面について》
以下、本発明の水浄化処理装置を、図面に示した発明を実施するための最良の形態に基づいて、詳細に説明する。
図１は、本発明を実施するための最良の形態の説明に供し、水浄化処理装置の正面説明図である。
【００１３】
《水浄化処理装置１の概要》
まず、水浄化処理装置１の概要について、説明する。この水浄化処理装置１は、直流電気分解に基づき生成されたＯＨラジカルにより、水Ｈ２Ｏに含有された有機化合物２を、酸化，分解する。
すなわち、水浄化処理装置１の水槽３内には、負極４と正極５が配置されると共に、有機化合物２を含有した水Ｈ２Ｏが、貯留タンクからポンプ等を介して供給される。
そして負極４では、電子ｅ−にて水Ｈ２Ｏと溶存酸素Ｏ２が還元されて、水酸化イオンＯＨ−が生成され、正極５では、正孔ｈ＋にて水酸化イオンＯＨ−が酸化されて、ＯＨラジカル（・ＯＨ）が生成される。
以下、このような水浄化処理装置１について、更に詳述する。
【００１４】
《ＯＨラジカルの生成について》
まず、この水浄化処理装置１におけるＯＨラジカルの生成について、説明する。すなわち、負極４と正極５の通電時における反応について、説明する。
まず負極４では、起電力にて供給される電子ｅ−と、水Ｈ２Ｏおよび水Ｈ２Ｏに溶存している酸素Ｏ２とが、次の化１の反応式にて反応する。そして、溶存酸素水Ｈ２Ｏ＋Ｏ２が電子ｅ−を供与されて還元され、もって水酸化イオンＯＨ−が電離，生成されて、水槽３内の水Ｈ２Ｏ中に拡散される。
【化１】
2008173523.tif 000003
【００１５】
これに対し正極５では、上述した負極４における電子ｅ−の供給に対応して、これにバランスする酸化力（電子ｅ−奪取力）を備えた正孔ｈ＋（ｈｏｌｅ＋）が生じる。
この正孔ｈ＋は、その電子ｅ−欠損を埋めるべく他から電子ｅ−を引き抜こうとする性質、つまり強い酸化力により、水中に拡散した上記化１の反応式で生成された水酸化イオンＯＨ−と、次の化２，３の反応式にて反応する。そして水酸化イオンＯＨ−は、電子ｅ−を奪取されて酸化され、もって、ヒドロキシラジカル（・ＯＨ）つまりＯＨラジカルが生成される。
ＯＨラジカルは、このように生成される。
【化２】
2008173523.tif 000004
【化３】
2008173523.tif 000005
【００１６】
《ＯＨラジカルの強力な酸化力について》
次に、このように正極５にて生成されたＯＨラジカル（・ＯＨ）の強力な酸化力について、説明する。
水浄化処理装置１で生成されたＯＨラジカルは、活性酸素種として他に類を見ない極めて強力な電子ｅ−奪取力，酸化力，つまり活性力，分解力を有している。前述した化１の反応式の安定した存在である水酸化イオンＯＨ−に比べ、ラジカルで反応性に富んでおり、水Ｈ２Ｏ中での強い反応性は、化２の反応式で奪された電子ｅ−を、水Ｈ２Ｏ中の他から奪わんとする酸化力として示される。
さてそこで、このように電気分解で生成されたＯＨラジカルは、水Ｈ２Ｏ中に含有された有機化合物２を酸化し、遂には分解してしまう。つまり、有機化合物２から電子ｅ−を奪って、自らは安定化しようとする。なお、このようなＯＨラジカルの酸化力は、水槽３内の全体に及ぶのに対し、前述した正孔ｈ＋の酸化力は、正極５付近で発揮されるに止まる。
【００１７】
これらについて、更に詳述する。ＯＨラジカルは、有機化合物２の有機構造について、その二重結合や水素原子Ｈを対象とし、これをＯＨ基で付加又は置換することに基づき、有機化合物２の炭素連鎖，有機結合，分子結合を切断，分解，分断し、もって有機化合物２を酸化，分解する。
その代表例として、まず、有機化合物２の有機構造に二重結合が存する場合は、通常の化学結合であるσ電子結合の他に、π電子結合が存在している。そして、π電子結合は結合力が弱く、有機構造の外系から作用するＯＨラジカルにて、π結合電子が奪取され易い。このように二重結合箇所がある場合には、その箇所の電子ｅ−を奪う形でＯＨラジカルを付加することにより、酸化，分解の開始点となる。そこで、例えば有機化合物２が芳香族化合物の場合でも、開環，分解が容易に可能となる。
更に代表例として、有機化合物２の有機構造に二重結合が存しない場合は、有機構造中の水素原子Ｈ、つまり電子ｅ−供与性を持つ水素原子Ｈが、ＯＨラジカルに基づく電子ｅ−奪取そしてＯＨ基による置換により、酸化，分解の開始点となることが多い。
ＯＨラジカルは、このように強力な酸化力を備えている。
【００１８】
《有機化合物２の酸化，分解について》
この水浄化処理装置１では、水Ｈ２Ｏに含有された有機化合物２は、このようにＯＨラジカルに基づき酸化され、途中の分解中間物の段階を経て、最終的には、水素Ｈ２，二酸化炭素ＣＯ２，水Ｈ２Ｏ，アンモニアＮＨ３，塩化水素ＨＣｌ，その他の低分子化合物に、分解されてしまう。
これらについて、更に詳述する。例えば、有機化合物２であるノルマルヘキサン抽出物質（有機溶媒であるノルマルヘキサンを使用した下水道試験法で、分析，抽出される物質）も、このようにして容易に酸化，分解される。すなわち、下水中等に含まれ、揮発しにくく従来浄化処理が容易でなかったノルマルヘキサン抽出物質、例えば鉱物油脂類，動植物油脂類，脂肪酸（モノカルボン酸）等も、確実に低分子化合物へと分解される。
又、同様に難分解性の有機化合物２として知られるモノクロロベンゼンＣＢ，メチルイソブチルケトンＭＩＢＫ，ベンジルアルコールＢＡ，イソプロピルアルコールＩＰＡ，ジメチルホルムアミドＤＭＦ，ノルマルヘキサン（ｎ−ヘキサン）等も、確実に低分子化合物へと分解される。クロロホルム等のトリハロメタン、更にはダイオキシンＰＣＤＤやビスフェノールＡ（ＢＰＡ）等の環境ホルモンも、即分解される。
すなわち、パラフィン系化合物，Ｃ＝Ｃ結合を持ったオレフィン系化合物，その他の鎖状炭化水素や、芳香環つまりフェニル基を持った環状炭化水素，その他の環状炭化水素でも、迅速かつ強力に酸化，分解されてしまう。
このように、有機化合物２が酸化，分解される。
【００１９】
《酸素Ｏ２や水素Ｈ２の気泡６について》
更に、この水浄化処理装置１では、水Ｈ２Ｏが電気分解される。すなわち更に、正極５では、正孔ｈ＋により水Ｈ２Ｏが酸化されて、酸素Ｏ２が生成され、負極４では、更に、正極５で生成された水素イオンＨ＋が電子ｅ−と反応して、水素Ｈ２が生成される。
そして、このような周知反応にて生成された酸素Ｏ２および水素Ｈ２の気泡６にて、有機化合物２の酸化，分解過程の中間生成物が、付着，上昇，分離，除去される。
【００２０】
これらについて、更に詳述する。正極５では、前述した化２，化３の反応式のＯＨラジカルの生成反応のほか、強い酸化力を備えた正孔ｈ＋が、水Ｈ２Ｏと次の化４，５，６の反応式にて反応する。そして水Ｈ２Ｏは、その水素原子Ｈから電子ｅ−を奪取されて、酸素Ｏ２が生成される。
【化４】
2008173523.tif 000006
【化５】
2008173523.tif 000007
【化６】
2008173523.tif 000008
【００２１】
そして負極４では、供給される電子ｅ−と、上記化４，５，６の反応式で生成された水素イオンＨ＋とが、次の化７の反応式にて反応して、水素Ｈ２が生成される。（なお水素Ｈ２は、前述したＯＨラジカルによる有機化合物２の酸化，分解反応の途中段階でも、生成されることが多々ある。）
【化７】
2008173523.tif 000009
【００２２】
さて、このように正極５では酸素Ｏ２が、負極４では水素Ｈ２がそれぞれ生成され、もって微細な気泡６となって水Ｈ２Ｏ中を上昇する。
そしてその際、前述した有機化合物２の酸化，分解過程の分解中間物、つまり途中で生成された未分解の中間生成物が、このような気泡６に付着して上昇する。なお、親水性，無機系のものは酸素Ｏ２の気泡６に、疎水性，親油性のものは水素Ｈ２の気泡６に、付着する傾向が強い。
そして、付着，上昇した分解中間物，中間生成物は、分解残渣，不純物として水面上に浮上して、例えばスカム除去装置７にて、気泡６と共に分離，除去される。なお、スカム除去装置７の他、その他各種のスプレー式や吸引式の除去装置が使用可能である。
酸素Ｏ２や水素Ｈ２の気泡６は、このように活用される。
【００２３】
《その他》
なお、この水浄化処理装置１において、ＯＨラジカルは、有機化合物２が酸化，分解されてしまった場合や、有機化合物２が存在しなかった場合、水Ｈ２Ｏと溶存酸素Ｏ２とを蘇生，再生しつつ、失活する。
すなわち、前述により正極５で生成されたＯＨラジカルは、酸化，分解対象物つまり有機化合物２がない場合は、次の化８，９の反応式にて、水Ｈ２Ｏから水素原子Ｈを奪取して、水Ｈ２Ｏと溶存酸素Ｏ２とを再生する。つまり、ＯＨラジカルは失活し、溶存酸素水Ｈ２Ｏ＋Ｏ２が蘇生され、水Ｈ２Ｏが浄化される。なお図中８は、直流電源である。
【化８】
2008173523.tif 000010
【化９】
2008173523.tif 000011
【００２４】
《作用等》
本発明の水浄化処理装置１は、以上説明したように構成されている。そこで、以下のようになる。
（１）化学処理設備等の工業設備，その他の産業設備から排出される工業廃水，産業廃水中には、各種の有機化合物２が含有されている。上水道水についても、同様である。
【００２５】
（２）この種の有機化合物２としては、鉱物油脂類，動植物油脂類，脂肪酸等のノルマルヘキサン抽出物質や、モノクロロベンゼンＣＢ，メチルイソブチルケトンＭＩＢＫ等の難分解性物質や、ビスフェノールＡ等の環境ホルモン、等々が代表的である。すなわち、パラフィン系化合物，オレフィン系化合物，その他の鎖状炭化水素や、芳香環を持った環状炭化水素，その他の環状炭化水素が、代表的である。
【００２６】
（３）そして、このような有機化合物２を含有すると共に、酸素Ｏ２が溶存した水Ｈ２Ｏは、廃水等として、水浄化処理装置１の水槽３へと供給される。
【００２７】
（４）水浄化処理装置１の水槽３内では、電気分解に基づきＯＨラジカルが生成されている。すなわち、電子ｅ−が供給される負極４では、前記化１の化学式にて水酸化イオンＯＨ−が生成され、この水酸化イオンＯＨ−は、前記化２，３の化学式にて正極５の正孔ｈ＋にて酸化され、もってＯＨラジカル（・ＯＨ）が生成される。
【００２８】
（５）水浄化処理装置１の水槽３内において、このような生成されたＯＨラジカルは、他に類を見ない極めて強力な酸化力を備えている。そこで、この酸化力に基づき、水Ｈ２Ｏ中に含有された有機化合物２の炭素連鎖，有機結合，分子結合を、切断，分解，分断する。
もって有機化合物２は、最終的には、水素Ｈ２，二酸化炭素ＣＯ２，水Ｈ２Ｏ，アンモニアＮＨ３，塩化水素ＨＣｌ，その他の扱い易い単純な低分子化合物に、分解，浄化されてしまう。つまり、水Ｈ２Ｏ中やガス化されて大気中に、散逸されてしまう。
【００２９】
（６）なおこれらに際し、有機化合物２の酸化，分解過程の中間生成物，分解中間物は、そのかなりの部分が、正極５や負極４で生成される酸素Ｏ２や水素Ｈ２の気泡６に付着して、水浄化処理装置１の水槽３内を水面まで上昇，分解し、水面上でスカム除去装置７等により除去されてしまうので、好都合である。
【００３０】
（７）又、ＯＨラジカルは、水浄化処理装置１の水槽３内において、対象となる有機化合物２が酸化，分解され尽くす等、存在しなくなった場合は、前記８，９の反応式により、水Ｈ２Ｏと溶存酸素Ｏ２とを再生，蘇生，浄化する働きをする。
【００３１】
（８）さて、この水浄化処理装置１では、このように、電気分解に基づき生成されたＯＨラジカルの作用により、水Ｈ２Ｏに含有された有機化合物２を酸化，分解，浄化する。
そして水浄化処理装置１は、水槽３内に負極４と正極５を備え、電源８等が付設された構造よりなり、工業廃水の排出現場において直接現場接続され、その場で順次、廃水を浄化処理可能である。
そして、処理設備構造が簡単であると共に、処理内容も容易であり、処理限界が存することもなく、順次大量の廃水を処理でき、全体処理も短期間で済む。
【００３２】
（９）しかも、この水浄化処理装置１は、ＯＨラジカルの極めて強力な酸化力により、水Ｈ２Ｏに含有された有機化合物２を、迅速かつ確実に分解，浄化可能である。酸化，分解が不完全，不確実なまま、途中で中断されるようなこともなく、迅速，確実な分解，浄化が実現される。
例えば、オレフィン系化合物等の鎖状炭化水素についても、オゾニド段階やアルデヒド類で止まることなく、又、芳香環を持った環状炭化水素についても、グリオキサール段階で止まることなく、更に先へとスムーズに、迅速かつ強力に酸化，分解が進展する。例えば、芳香環は直ちに開環，鎖状化され、アルデヒド類化そしてカルボン酸化されて、最終的には、二酸化炭素ＣＯ２，水Ｈ２Ｏ，その他の低分子化合物に、即分解される。
【００３３】
（１０）なお、この水浄化処理装置１は、電気分解に基づき生成されるＯＨラジカルの作用を柱とする。そこで、例えば光触媒に基づき生成されるＯＨラジカルを利用する場合に比し、負極４や正極５の位置が固定されており、起電力にて生じ基礎となる電子ｅ−は、定まった特定の負極４位置で水Ｈ２Ｏに接している。
そこで、酸化，分解途中の中間生成物が光触媒の場合のように、光触媒に全面的に付着して、エネルギー源となる光照射が、介在，付着した中間生成物にて不能となって光触媒まで届かず、光触媒が機能不全となってしまうような事態発生は、回避される。光触媒の場合は、光触媒への光照射にて正極に生じた正孔ｈ＋がすべての基礎となるのに対し、電気分解の場合は、エネルギー源となる直流による起電力が、中間生成物に邪魔されることなく、電源８から負極４や正極５に供給される。
【実施例１】
【００３４】
この水浄化処理装置１において、有機化合物２は、ＯＨラジカルや正孔ｈ＋にて、例えば順次、アルコール類化，アルデヒド類化又はケトン類化，カルボン酸化，これらの次元低下，蟻酸化等のステップを辿って、酸化，分解される。
すなわち、例えばノルマルヘキサンＣＨ３（ＣＨ２）４ＣＨ３は、まず、ヘキサノールＣＨ３（ＣＨ２）４ＣＨ２ＯＨへと、アルコール類化される。それから、ペンチルアルデヒドＣＨ３（ＣＨ２）４ＣＨＯに、アルデヒド類化された後、ペンチル酸ＣＨ３（ＣＨ２）４ＣＯＯＨへと、カルボン酸化される。
そしてカルボン酸の分解、下位アルコール類への移行、それからアルコール類の次元低下そしてホルムアルデヒドＨＣＨＯ化のステップや、カルボン酸の次元低下のステップを辿る。そして最終的には、生成された蟻酸ＨＣＯＯＨが、水素Ｈ２と二酸化炭素ＣＯ２と水Ｈ２Ｏとに、分解される。
【実施例２】
【００３５】
難分解性の有機化合物２の代表例であるクロロベンゼンＣ６Ｈ５Ｃｌの酸化，分解については、次のとおり。
クロロベンゼンＣ６Ｈ５Ｃｌは、まず、ＣＨＯＣ・Ｃｌ＝ＣＨＣＨ＝ＣＨＣＨＯとアルデヒド類化された後、ＣＨＣＯＯＨへとカルボン酸化される。それから、カルボン酸が低位アルコールへと移行した後、酸化，分解過程を経由して、最終的には、塩化水素ＨＣｌと水素Ｈ２と二酸化炭素ＣＯ２と水Ｈ２Ｏに、分解される。
【実施例３】
【００３６】
環境汚染物質として名高いトリハロメタンの一種であるクロロホルムＣＨＣｌ３の酸化，分解については、次のとおり。
クロロホルムＣＨＣｌ３は、まず、ＣＣｌ３ＯＨへとアルコール類化された後、ＣｌＣＨＯとアルデヒド類化される。それから、ＣｌＣＯＯＨへとカルボン酸化された後、最終的には、水素Ｈ２と塩素Ｃｌ２と二酸化炭素ＣＯ２と水Ｈ２Ｏとに、分解される。
【図面の簡単な説明】
【００３７】
【図１】本発明に係る水浄化処理装置について、発明を実施するための最良の形態の説明に供し、正面説明図である。
【符号の説明】
【００３８】
１  水浄化処理装置
２  有機化合物
３  水槽
４  負極
５  正極
６  気泡
７  スカム除去装置
８  電源
【図１】
2008173523.tif 000012